(57)【要約】      （修正有）【課題】コストが低く、生産効率の高い逆流止めバルブを提供する。【解決手段】流体がバルブ本体２０入口２１上方へ流動すると、バルブ弁１０は流体の圧力により、ピボット２３を軸として上方へ移動する。これにより、入口２１が開かれ、流体はバルブ本体内の上方に流動する。流体が停止し上向きの力が消失すると、バルブ弁１０には重り１３の偏りにより下向きの力が加わり、バルブ弁１０はピボット２３を軸に下方へ移動し、元の位置に戻る。バルブ弁１０は重心位置がピボット耳１２の反対側にあるので、下向きの移動が円滑であり、入口２１を閉じる速度が速くなる。また、バルブ弁１０が上向きの力を受けないとき、自身の重量で元来の位置に戻る。このとき、バルブ弁１０の重心位置が偏っているために、バルブ弁１０は入口２１に対して自然と下向きの力Ｐを形成し、その密閉圧力を増強し、流体の漏出を防止する効果を高める。【選択図】図５
0003116094.tif 000002
【実用新案登録請求の範囲】
【請求項１】
中心部に凸出した円盤部を有し、前記円盤部の外周縁の一側に設置される枢接部を有し、前記枢接部の反対側に設置される重りを有するバルブ弁と、
中空管状であって、軸方向のある予定位置に入口を有し、前記入口の下縁に枢接部を持有するバルブ本体と、を備える逆流止めバルブにおいて、
前記バルブ弁の前記円盤部において前記枢接部の反対側に重りが一体に形成され、前記重りは前記バルブ弁の重心を前記枢接部の反対側に偏らせ、前記バルブ弁が圧力を受けない状態では、自身の重量によって元の位置に戻るとともに、偏った重心位置により前記バルブ弁に対し下向きに力を加え、前記入口に対する逆流を防止し密閉する作用を高めることを特徴とする逆流止めバルブ。
【請求項２】
前記重りは、前記円盤部の前記枢接部の反対側に前記円盤部の外周縁から前記バルブ弁の外周縁まで伸びて設置されることを特徴とする請求項１記載の逆流止めバルブ。
【請求項３】
前記バルブ弁の前記枢接部は所定の間隔に突出する二つのピボット耳を有し、前記二つのピボット耳はそれぞれ軸方向に孔心が一列に並ぶピボット孔を有し、
前記バルブ本体の前記枢接部は所定の間隔で二つのピボット耳を有し、この二つのピボット耳はそれぞれ軸方向に孔心が一列に並ぶピボット孔を有し、このピボット孔は前記バルブ本体の外側まで伸び、ピボットが前記バルブ本体のピボット孔および前記バルブ弁のピボット孔にはめ付けられ、前記バルブ弁を前記バルブ本体の中に枢軸的に組み付けていることを特徴とする請求項１記載の逆流止めバルブ。
【請求項４】
前記バルブ弁の二つのピボット孔は上下端がやや長い楕円形であって、前記ピボットが組み付けられたとき、前記ピボットがピボット孔の中をわずかに移動可能であり、前記バルブ弁は前記ピボットを軸として微小に移動可能であり、前記バルブ弁は前記バルブ本体の前記入口に密閉するとき、微小に調整されて密閉の効果を高めることを特徴とする請求項３記載の逆流止めバルブ。
【考案の詳細な説明】
【技術分野】
【０００１】
本考案は逆流止めバルブに関する。
【背景技術】
【０００２】
図１に示す従来の逆流止めバルブは、バルブ弁１の重量が平均に分布されており、中心部の重量が大きい。そのため、バルブ弁１は流体がバルブ本体の入口を通過し、流体が逆流するのを止める時、バルブ弁１の重心が中央部にあるため、往々にして閉じるストロークが不足し、入口を閉じる入口の周縁を完全に密閉できず、逆流止めの効果が十分でない。その結果、流体バルブ入口から漏れ出る可能性がある。
【考案の開示】
【考案が解決しようとする課題】
【０００３】
上記の従来の逆流止めバルブはそのバルブ弁１の一端にピボット耳２を持ちバルブ本体とピボット式に連結して長方形に成形されているので、その長さが長く、ピボット孔３を加工する時は、相当な精度に加工しなければならない。さもなければ、ピボット孔３は容易に傾斜し、バルブ本体との組み合わせが困難になり、バルブ弁１を更に一回加工しなければならない。そのため、コストが高くなり、バルブ弁１の生産効率が悪い。
【０００４】
そこで、本考案の目的は、コストが低く、生産効率の高い逆流止めバルブを提供することにある。
【課題を解決するための手段】
【０００５】
上述の従来の逆流止めバルブのバルブ弁を改善するために、本考案はバルブ弁を円盤状に作りその一側に枢接部を付設し、バルブ本体にバルブ弁を枢接させて、バルブ弁がバルブ本体の入口を密閉させたり開けたりすることができる。これにより、バルブ弁が入口を密閉した時は流体を阻止して漏れないという目的を達する。さらに、バルブ弁の円盤部はその一端の表面の予定位置に重りを一体に形成し、この重りはバルブ弁の重心にその枢接部の反対の方向に偏っている。そのため、バルブ弁が圧力を受けない状態になると、自己の重量で元の位置に戻り、偏った重心位置で自然にバルブ弁が入口に対して下向きに押す力を形成して緊閉の効果を高める。
【０００６】
本考案のバルブのバルブ弁は正方向の流体の圧力で開けられた後、その流力が消失した時に重心の偏りのため、速やかに下向きに閉じる。また、重心は枢接部の反対側にあるので、バルブ弁自身の重量で自然に下方に押し付け、その押し付け力により入口を閉じると、偏った重量によってバルブ弁は入口をよりよく密閉する。したがって、逆流を阻止する効果を高めることができる。
【考案を実施するための最良の形態】
【０００７】
以下、本考案の一実施形態による逆流止めバルブを図面に基づいて説明する。
本考案の一実施形態による逆流止めバルブは、図２から図４に示すようにバルブ弁１０とバルブ本体２０とを組み合わせて構成される。
バルブ弁１０は鋳物で二層同心円盤状に成形されている。バルブ弁１０は、中心部に円形の円盤部１１を有し、この円盤部１１の外周の一側に対称に配置される二個のピボット耳１２を有する枢接部を形成している。この二個のピボット耳１２は各軸方向へピボット孔１２１を有し、この両ピボット孔１２１は上下端がやや長い楕円形である。円盤部１１のピボット耳１２の反対側の外周には、重り１３が外に伸びて形成され、バルブ弁１０の外周縁に達している。そのため、バルブ弁１０の重心はピボット耳の反対端に加わっている。これにより、偏った重心によって、バルブ弁１０は力を受けなくても、自然に自身の重量で元の位置に戻ることができる。また、バルブ弁１０の重り１３は入口２１に対して下向きに押す力を形成し、密閉の効果を高めることができる。
【０００８】
バルブ本体２０は中空の管状体であり、軸方向の予定位置に入口２１を有している。この入口２１の下周縁に対称する位置に二個のピボット耳２２を有する枢接部を形成している。このピボット耳２２は各軸方向へシャフト孔となるピボット孔２２１を有している。このピボット孔２２１はバルブ本体２０の外側まで伸び、ピボット２３がピボット孔１２１とピボット孔２２１を貫通している。これにより、バルブ弁１０はバルブ本体２０に組み付けられ、バルブ弁１０はバルブ本体２０の中で揺れ動く。
【０００９】
次にバルブ弁１０の作動を説明する。
図４および図５に示すように、流体がバルブ本体２０入口２１から入って上方へ流動すると、バルブ弁１０は流体の圧力に推されて、ピボット２３を枢軸として、上方に揺れ動く。これにより、入口２１が開かれ、流体はバルブ本体内の上方に流動する。流体が流動しなくなり上向きの力が消失すると、バルブ弁１０は重り１３の偏り作用により下向きの作用力が発生し、バルブ弁１０は再びピボット２３を枢軸として下方に揺れ動き元の位置に戻る。バルブ弁１０はその重心の位置がピボット耳１２の反対側にあるので、その偏った中心位置のために下向き揺動が増強されて、入口２１を閉じる速度が速くなり流体の逆流を阻止する時間が短縮される。したがって、逆流止めの効率が至って良好である。
【００１０】
同時にバルブ弁１０は上向きの力を受けない状態になると、自身の重量で下方の元来の位置に戻る。このとき、バルブ弁１０の重心位置がピボット耳１２の反対側に偏っているために、バルブ弁１０は入口２１に対して自然と下向きの力Ｐを形成し、その密閉圧力を増強し、流体の漏出を防止する効果を高める。さらに図６に示すように、ピボット耳１２のピボット孔１２１は楕円形に形成されている。そのため、ピボット２３がその中に貫通して設置された後は、ピボット２３がピボット孔１２１の中で微小な移動ができる。その結果、バルブ弁１０は自らその位置を微小に調整することができ、入口２１を密閉する作用を保持できる。
【００１１】
（考案の効果）
本考案の逆流止めバルブは次の効果を奏する。
１．本考案のバルブ弁は重りの増加設置により、その重心を偏らせているので、バルブ弁が流体の圧力を受けない時は、自身の重量で迅速に下方の元の位置に戻ることができる。そのため、流体の逆流を阻止する速度が極めて早く、効果が非常に良好であり、その上にその重心位置がバルブ弁のピボット耳の反対側にあることから、バルブ弁が入口を密閉する時に別の力を発生する。その結果、密閉の効果を更に高め、流体の漏出の防止は完全に防止することができる。
【００１２】
２．本考案のバルブ弁は枢接部に一体に形成した二個のピボット耳を有しており。鋳物に必要な材料の外は何もなく、二回目の加工を必要としない。したがって、コストを節約できる。また、ピボット耳のピボット孔は楕円形に形成されているので、ピボットがその中に組み付けられると、ピボットはピボット孔の中で微小に移動することができる。したがって、バルブ弁はピボットを枢軸として揺動する時に微小な自己調整が可能であり、バルブ弁が入口を密閉する効果を高めることができる。
【図面の簡単な説明】
【００１３】
【図１】従来の逆流止めバルブを示す斜視図である。
【図２】本考案の一実施形態による逆流止めバルブを示す斜視図である。
【図３】本考案の一実施形態による逆流止めバルブのバルブ弁とバルブ本体の部分組合わせを示す断面図である。
【図４】本考案の一実施形態による逆流止めバルブのバルブ弁が圧力を受けている状態を示す断面図である。
【図５】本考案の一実施形態による逆流止めバルブのバルブ弁が圧力を受けていない状態を示す断面図である。
【図６】本考案の一実施形態による逆流止めバルブのバルブ弁とピボット孔が微小な補正を受けている状態を示す断面図である。
【符号の説明】
【００１４】
１０  バルブ弁、１１  円盤部、１２  ピボット耳、１２１  ピボット孔、１３  重り、２０  バルブ本体、２１  入口、２２  ピボット耳、２２１  ピボット孔、２３  ピボット
【図１】
0003116094.tif 000003
【図２】
0003116094.tif 000004
【図３】
0003116094.tif 000005
【図４】
0003116094.tif 000006
【図５】
0003116094.tif 000007
【図６】
0003116094.tif 000008